(57)【特許請求の範囲】
【請求項１】
前払い料金の金額データ又は定期券データなどを記憶し、短距離無線通信機能及びイヤホンを介しての音声出力機能を有する非接触式ＩＣチップを備えた視覚障害者用杖と、
視覚障害者を自動券売機、自動精算機、自動改札機等の駅務機器に誘導案内するために歩行路に沿って布設された点字ブロックと、
前記歩行路の分岐点及び前記駅務機器又はその近傍に設けられた、前記視覚障害者用杖の非接触式ＩＣチップと交信するためのトランスミッタと、
前記歩行路の分岐点のトランスミッタに接続され、前記非接触式ＩＣチップがそのトランスミッタと交信したときに、当該分岐点から所定の方向に進んだ場合に到達する駅務機器の種類を前記イヤホンを介して報知する報知手段と、
前記駅務機器又はその近傍に設けられたトランスミッタに接続され、前記非接触式ＩＣチップがそのトランスミッタと交信したときに、当該駅務機器による誘導や操作案内などを報知する報知手段と、
前記非接触式ＩＣチップが前記駅務機器に設けられているトランスミッタと交信したときに、その非接触式ＩＣチップとその駅務機器との間で非接触でデータ授受を行って自動改札処理やその非接触式ＩＣチップへの乗車券データ又は精算券データのインストール等の所定の処理を行う、前記駅務機器に設けられた制御手段と、
からなることを特徴とする駅務システム。
【発明の詳細な説明】
【０００１】
【発明の属する技術分野】
本発明は、自動券売機、自動改札機あるいは自動精算機等の駅務機器を視覚障害者が不自由無く利用できるようにした駅務システムに関する。
【０００２】
【従来の技術】
従来、自動券売機や自動改札機等の駅務機器の設置されている駅構内には、視覚障害者（旅客）を歩行路に沿ってその駅務機器に誘導案内するための点字ブロックが布設されている。また、自動券売機等の駅務機器の接客面には、視覚障害者に操作方法を案内するために、点字シールが貼付されている。
【０００３】
【発明が解決しようとする課題】
しかしながら、上記従来の点字ブロックによる誘導案内は、その点字ブロックに沿って進行すれば駅務機器が設置されていることを示すだけで、その駅務機器の種類が何かまでは判らないという不便があった。
【０００４】
また、駅務機器の接客面に貼付した点字シールによる操作案内は、点字シールを指先で読取って操作しなければならないので、処理時間が長くなるという不都合があった。加えて、近年、操作面がタッチパネル式の駅務機器が多くなってきているが、このタッチパネル式の駅務機器は、点字シールを貼付できないため、視覚障害者が利用できないという欠点があった。
【０００５】
そこで、本発明は、上記欠点を解決するためになされたものであって、その目的は、視覚障害者の所持する杖を利用して、視覚障害者を所定の駅務機器に案内誘導し、かつ、所定の駅務機器において操作案内をし、その杖に記憶されているデータを利用して所定の処理を行うように構成することにより、視覚障害者の駅務機器利用の利便性を向上させることができる駅務システムを提供することにある。
【０００６】
【課題を解決するための手段】
本発明に係る駅務システムは、上記目的を達成するために、（ａ）前払い料金の金額データ又は定期券データなどを記憶し、短距離無線通信機能及びイヤホンを介しての音声出力機能を有する非接触式ＩＣチップを備えた視覚障害者用杖と、（ｂ）視覚障害者を自動券売機、自動精算機、自動改札機等の駅務機器に誘導案内するために歩行路に沿って布設された点字ブロックと、（ｃ）前記歩行路の分岐点及び前記駅務機器又はその近傍に設けられた、前記視覚障害者用杖の非接触式ＩＣチップと交信するためのトランスミッタと、（ｄ）前記歩行路の分岐点のトランスミッタに接続され、前記非接触式ＩＣチップがそのトランスミッタと交信したときに、当該分岐点から所定の方向に進んだ場合に到達する駅務機器の種類を前記イヤホンを介して報知する報知手段と、（ｅ）前記駅務機器又はその近傍に設けられたトランスミッタに接続され、前記非接触式ＩＣチップがそのトランスミッタと交信したときに、当該駅務機器による誘導や操作案内などを報知する報知手段と、（ｆ）前記非接触式ＩＣチップが前記駅務機器に設けられているトランスミッタと交信したときに、その非接触式ＩＣチップとその駅務機器との間で非接触でデータ授受を行って自動改札処理やその非接触式ＩＣチップへの乗車券データ又は精算券データのインストール等の所定の処理を行う、前記駅務機器に設けられた制御手段とからなることを特徴としている。
【０００７】
【発明の実施の形態】
以下、本発明の実施の形態を図面に基づいて説明する。図１は、一実施の形態に係る駅務システムの概略構成図である。
【０００８】
図１中、Ｂは、駅構内の歩行路に沿って布設された点字ブロックであって、視覚障害者イを自動券売機ａ、自動精算機ｂ又は自動改札機Ｇに誘導案内するために設けてある。
【０００９】
図１中、Ｔ1 〜Ｔ6 は、視覚障害者用杖ロに内蔵されている非接触式ＩＣチップ１（後述の図２参照）と短距離無線交信するためのトランスミッタであって、このうち、トランスミッタＴ1 ，Ｔ2 は、点字ブロックＢが設けられた歩行路の分岐点に設けられ、トランスミッタＴ3 ，Ｔ4 は、自動改札機の改札通路の入口側，出口側にそれぞれ設けられ、トランスミッタＴ5 は、自動券売機ａの接客面側の床に設けられ、トランスミッタＴ6 は、自動精算機ｂの接客面側の床に設けられている。また、トランスミッタＴ1 ，Ｔ2 の図示しないメモリには、それぞれ、当該分岐点からどの方向に進めばどのような種類の駅務機器があるかを示すデータが予め記憶されている。
【００１０】
図２は、視覚障害者用杖ロの概略構成図であって、その杖ロには、上記トランスミッタＴ1 〜Ｔ5 と短距離無線通信により、すなわち、非接触でデータ授受を行うことのできる非接触式ＩＣチップ１が内蔵されている。そして、この杖ロの先端（石突き）には、アンテナ２が設けられている。
【００１１】
図２中、Ｅは、非接触式ＩＣチップ１の駆動電源用の電池である。なお、非接触式ＩＣチップ１がトランスミッタＴ1 〜Ｔ6 から電力波を受けて電源とすることができるときは、電池Ｅは省略される。また、図２中、３は、非接触式ＩＣチップ１からの所定の案内を視覚障害者イに音声で案内するためのイヤホンであって、杖ロに着脱自在に接続されている。
【００１２】
図３は、駅務機器の１種類である自動改札機Ｇ及び視覚障害者用杖ロの非接触式ＩＣチップ１の電気的構成を示すブロック図である。
【００１３】
非接触式ＩＣチップ１側から説明すると、この非接触式ＩＣチップ１は、自動改札機Ｇ側のアンテナＴ′と交信するための上記アンテナ２と、このアンテナ２を介して自動改札機Ｇとの通信を行うための通信制御部４と、メモリ５に記憶されているデータを用いて演算処理するＣＰＵ６と、このＣＰＵ６と通信制御部４とを接続するためのＩ／Ｏユニット７と、上記イヤホン３を駆動制御する出力部８とを有している。メモリには、少なくとも前払い料金の金額データや定期券データ等のデータが記憶されている。
【００１４】
自動改札機Ｇは、ＲＯＭ１０に格納されているシステムプログラムとＲＡＭ１１に格納されているワーキングデータとを用いて演算処理する中央処理部（ＣＰＵ）１２を有している。そして、ＣＰＵ１２は、Ｉ／Ｏユニット１３を介してドアＤを開閉制御するドア駆動制御ユニット１４と、自動改札機Ｇに投入された磁気券を処理するカードハンドラ１５と、図示しないスピーカからの音声案内を駆動制御する音声発生ユニット１６と、上記トランスミッタＴ2 ，Ｔ3 とが接続されている。なお、Ｉ／Ｏユニット１３には、改札通路内の利用者を検知する人間検知器のセンサアンプやその他のドライバ等が接続されているが、ここでは省略されている。また、自動改札機Ｇが無線通信機能を有するＩＣカードからなる非接触式乗車券を処理できる非接触式自動改札機であるときは、Ｉ／Ｏユニット１３には、その非接触式乗車券を処理するためのアンテナを備えたトランスミッタが接続される。
【００１５】
駅務機器が他の種類である自動券売機ａ又は自動精算機ｂの場合は、Ｉ／Ｏユニット１３には、ドア駆動ユニット１４やカードハンドラ１５に代えて、金銭処理ユニット及び発券処理ユニットが接続される。
【００１６】
次に、図４のフローチャートを参照して制御動作について説明する。今、杖ロを所持する視覚障害者イが自動改札機Ｇを介して入場しようとしているものとする。
【００１７】
点字ブロックＢに案内誘導されてきた視覚障害者イが杖ロの先端をトランスミッタＴ3 の位置を示す穴Ｔ′3 に挿入すると（ステップ１００肯定。以下、ステップを「Ｓ」とする。）、杖ロに内蔵されている非接触式ＩＣチップ１と自動改札機Ｇとの間でデータ授受が行われる（Ｓ１０２）。
【００１８】
自動改札機Ｇでは、非接触式ＩＣチップ１から得られたデータを基に演算処理した結果、その非接触式ＩＣチップ１のメモリ５の前払い料金の残額が入場を許可できるとき、又は定期券データが有効なときは（Ｓ１０６肯定）、ドアＳが開かれて（自動改札機Ｇがノーマルオープン型のときはそのまま）、視覚障害者イの入場が許可される（Ｓ１０８）。この際、図示しない自動改札機Ｇに設けられているスピーカ（図示せず）から、改札通路の通過許可を示す所定の音声案内が行われる。
【００１９】
上述の演算処理の結果、非接触式ＩＣチップ１のメモリ５の前払い料金の残額が入場を許可できないとき、又は定期券データが無効のときは、イヤホン３及びスピーカを介して自動券売機ａを用いて所定の金額データを非接触式ＩＣチップ１のメモリ５にインストールし、あるいは、定期券データを係員窓口又は自動定期券発行機（図示せず）でインストールするようにとの案内が行われる（Ｓ１０６否定、Ｓ１１０）。もちろん、この場合は、ドアＤが閉じられる。なお、この案内は、イヤホン３又は図示しないスピーカのいずれかで行うようにしてもよい。
【００２０】
視覚障害者イは、点字ブロックＢ及びトランスミッタＴ1 を通過したときのイヤホン３を介しての案内に導かれて自動券売機ａに進むことができる。そして、ここで、自動券売機ａに所定の金銭を投入すると、その投入金額に応じたデータがトランスミッタＴ5 を介して非接触式ＩＣチップ５のメモリ５に書込まれる。したがって、視覚障害者イは、その新たに積増しされた非接触式ＩＣチップ１（杖ロ）を用いて自動改札機Ｇを介して入場することができる。なお、図１においては、係員窓口や自動定期券発行機は省略されている。上記自動券売機ａにおいても、イヤホン３及びその自動券売機ａに設けられているスピーカを介して、又はそのスピーカを介して操作案内等の所定の案内が行われる。
【００２１】
視覚障害者イが出場する場合も、上記入場時と同様に行われるが、精算を必要とするときは、自動精算機ｂを介して精算済みのデータがトランスミッタＴ6 を介して非接触式ＩＣチップ１のメモリ５に書込まれる。
【００２２】
なお、上述の例では、杖と駅務機器との交信のためのアンテナは、杖の先端に設けられたが、杖の把持部に設けてもよい。また、杖の把持部に接続端子を設けて駅務機器と接続式で交信するようにしてもよい。
【００２３】
【発明の効果】
本発明に係る駅務システムは、（ａ）前払い料金の金額データ又は定期券データなどを記憶し、短距離無線通信機能及びイヤホンを介しての音声出力機能を有する非接触式ＩＣチップを備えた視覚障害者用杖と、（ｂ）視覚障害者を自動券売機、自動精算機、自動改札機等の駅務機器に誘導案内するために歩行路に沿って布設された点字ブロックと、（ｃ）歩行路の分岐点及び駅務機器又はその近傍に設けられた、視覚障害者用杖の非接触式ＩＣチップと交信するためのトランスミッタと、（ｄ）歩行路の分岐点のトランスミッタに接続され、非接触式ＩＣチップがそのトランスミッタと交信したときに、当該分岐点から所定の方向に進んだ場合に到達する駅務機器の種類を前記イヤホンを介して報知する報知手段と、（ｅ）駅務機器又はその近傍に設けられたトランスミッタに接続され、非接触式ＩＣチップがそのトランスミッタと交信したときに、当該駅務機器による誘導や操作案内などを報知する報知手段と、（ｆ）非接触式ＩＣチップが駅務機器に設けられているトランスミッタと交信したときに、その非接触式ＩＣチップとその駅務機器との間で非接触でデータ授受を行って自動改札処理やその非接触式ＩＣチップへの乗車券データ又は精算券データのインストール等の所定の処理を行う、駅務機器に設けられた制御手段とからなるので、視覚障害者は駅構内を所要の駅務機器まで誘導案内され、当該駅務機器においてはその使用方法又は操作方法が案内され、かつ、所定の処理が行われるため、視覚障害者の駅務機器利用の利便性が格段に向上する。
【図面の簡単な説明】
【図１】  本発明の一実施の形態に係る駅務システムの概略構成図である。
【図２】  杖の概略構成である。
【図３】  電気的構成を示すブロック図である。
【図４】  制御動作を示すフローチャートである。
【符号の説明】
ａ      自動券売機
ｂ      自動精算機
Ｇ      自動改札機
イ      視覚障害者
ロ      杖
１      非接触式ＩＣチップ
２      アンテナ
３      イヤホン
Ｔ1 〜Ｔ6       トランスミッタ
【図１】
0004046435.tif 000002
【図２】
0004046435.tif 000003
【図３】
0004046435.tif 000004
【図４】
0004046435.tif 000005